(57)【要約】【課題】  メッシュパネルの設置状態をアレンジすることができ、且つ必要がないときにはコンパクトにしまうことのできるパネル体の提供。【解決手段】  複数のメッシュパネル２，２，…を備え、メッシュパネルは、向きを変更可能であると共にメッシュパネルの並び方向に移動可能である。【選択図】      図１
2011196170.tif 000002
【特許請求の範囲】
【請求項１】
複数のメッシュパネルを備え、メッシュパネルは、向きを変更可能であると共にメッシュパネルの並び方向に移動可能であることを特徴とするパネル体。
【請求項２】
メッシュパネルは、平面視で少なくとも一箇所の曲がり部を有することを特徴とする請求項１記載のパネル体。
【請求項３】
メッシュパネルは、見込み方向に間隔をあけて左右逆向きにのびる部分を有することを特徴とする請求項１又は２記載のパネル体。
【請求項４】
上レールと、上レールに沿って移動可能に上レールから吊り下げた支柱と、支柱の周囲に嵌めた筒状のメッシュパネル取付材とを備え、メッシュパネル取付材は支柱の周りを回転自在であると共に向きを固定するための固定具を有し、メッシュパネルはメッシュパネル取付材に取付けてあることを特徴とする請求項１，２又は３記載のパネル体。
【請求項５】
上レールと、上レールに沿って移動可能に上レールから吊り下げた支柱と、支柱の下端部を案内する下レールを備え、下レールは、支柱の下端部を受け入れる開口を有し、支柱の下端部には、支柱の下端部が下レールから抜けるのを防ぐストッパーを有することを特徴とする請求項１，２，３又は４記載のパネル体。
【請求項６】
上レールと、上レールに沿って移動可能に上レールから吊り下げた支柱とを備え、支柱は、上端部に上レールを転動するローラーと、上レールを挟持・解除可能なクランプ具とを有することを特徴とする請求項１，２，３，４又は５記載のパネル体。
【請求項７】
レールと、メッシュパネルをレールから吊る吊具を有し、吊具は、レールに係合する上部材と、メッシュパネルに固定した下部材とからなり、上部材と下部材とは垂直軸周りに相対回転可能に係合していることを特徴とする請求項１，２又は３記載のパネル体。
【請求項８】
下レールと係合具を有し、係合具は、メッシュパネルに固定した上部材と、下レールに係合する下部材とを有し、上部材と下部材とは垂直軸周りに相対回転可能に係合していることを特徴とする請求項１，２，３又は７記載のパネル体。
【請求項９】
上部材又は下部材の一方の部材には、垂直軸周りに複数の係止受け部を有し、他方の部材は、複数の係止受け部のいずれかに選択的に係止する係止部を有することを特徴とする請求項７又は８記載のパネル体。
【請求項１０】
メッシュパネルを上下方向に突っ張り固定していることを特徴とする請求項１，２，３，７，８又は９記載のパネル体。
【発明の詳細な説明】
【技術分野】
【０００１】
本発明は、メッシュパネルを用いたパネル体に関する。
【背景技術】
【０００２】
目隠しや日除け等を目的として、従来より敷地の境界等にメッシュパネルを設置し、そのメッシュパネルにつる植物を巻付かせて緑化することが行われている。従来の緑化に用いられるメッシュパネルとしては、線材を縦横の格子状に編んだ平面的なものや、特許文献１に記載されているような一定の厚みのある立体的なメッシュパネルがあった。
メッシュパネルを用いたフェンスやスクリーンは、冬になると植物が枯れてしまうため、目隠しや日除けの効果が得られなくなる。特に、テラスの側面や正面のスクリーンにメッシュパネルを用いた場合、冬場は目隠しや日除けの効果が得られない上に、テラスへの人の出入りが無駄に制限され、邪魔なだけのものとなってしまう。また従来は、メッシュパネルを固定的に設置していたので、植物の種類に応じて植物が生育しやすいようにメッシュパネルをアレンジしたり、採光・採風を調節したりすることができなかった。
【先行技術文献】
【特許文献】
【０００３】
【特許文献１】特許第３３３３４６６号公報
【発明の概要】
【発明が解決しようとする課題】
【０００４】
本発明は以上に述べた実情に鑑み、メッシュパネルの設置状態をアレンジすることができ、且つ必要がないときにはコンパクトにしまうことのできるパネル体の提供を目的とする。
【課題を解決するための手段】
【０００５】
上記の課題を達成するために請求項１記載の発明によるパネル体は、複数のメッシュパネルを備え、メッシュパネルは、向きを変更可能であると共にメッシュパネルの並び方向に移動可能であることを特徴とする。
【０００６】
請求項２記載の発明によるパネル体は、請求項１記載の発明の構成に加え、メッシュパネルは、平面視で少なくとも一箇所の曲がり部を有することを特徴とする。
【０００７】
請求項３記載の発明によるパネル体は、請求項１又は２記載の発明の構成に加え、メッシュパネルは、見込み方向に間隔をあけて左右逆向きにのびる部分を有することを特徴とする。
【０００８】
請求項４記載の発明によるパネル体は、請求項１，２又は３記載の発明の構成に加え、上レールと、上レールに沿って移動可能に上レールから吊り下げた支柱と、支柱の周囲に嵌めた筒状のメッシュパネル取付材とを備え、メッシュパネル取付材は支柱の周りを回転自在であると共に向きを固定するための固定具を有し、メッシュパネルはメッシュパネル取付材に取付けてあることを特徴とする。
【０００９】
請求項５記載の発明によるパネル体は、請求項１，２，３又は４記載の発明の構成に加え、上レールと、上レールに沿って移動可能に上レールから吊り下げた支柱と、支柱の下端部を案内する下レールを備え、下レールは、支柱の下端部を受け入れる開口を有し、支柱の下端部には、支柱の下端部が下レールから抜けるのを防ぐストッパーを有することを特徴とする。
【００１０】
請求項６記載の発明によるパネル体は、請求項１，２，３，４又は５記載の発明の構成に加え、上レールと、上レールに沿って移動可能に上レールから吊り下げた支柱とを備え、支柱は、上端部に上レールを転動するローラーと、上レールを挟持・解除可能なクランプ具とを有することを特徴とする。
【００１１】
請求項７記載の発明によるパネル体は、請求項１，２又は３記載の発明の構成に加え、レールと、メッシュパネルをレールから吊る吊具を有し、吊具は、レールに係合する上部材と、メッシュパネルに固定した下部材とからなり、上部材と下部材とは垂直軸周りに相対回転可能に係合していることを特徴とする。
【００１２】
請求項８記載の発明によるパネル体は、請求項１，２，３又は７記載の発明の構成に加え、下レールと係合具を有し、係合具は、メッシュパネルに固定した上部材と、下レールに係合する下部材とを有し、上部材と下部材とは垂直軸周りに相対回転可能に係合していることを特徴とする。
【００１３】
請求項９記載の発明によるパネル体は、請求項７又は８記載の発明の構成に加え、上部材又は下部材の一方の部材には、垂直軸周りに複数の係止受け部を有し、他方の部材は、複数の係止受け部のいずれかに選択的に係止する係止部を有することを特徴とする。
【００１４】
請求項１０記載の発明によるパネル体は、請求項１，２，３，７，８又は９記載の発明の構成に加え、メッシュパネルを上下方向に突っ張り固定していることを特徴とする。
【発明の効果】
【００１５】
請求項１記載の発明によるパネル体は、複数のメッシュパネルを備え、メッシュパネルは向きを変更可能であると共にメッシュパネルの並び方向に移動可能であるため、メッシュパネルの向きや間隔を適宜調節して簡単にアレンジでき、必要のないときにはメッシュパネルを接近させてコンパクトにしまうことができる。
【００１６】
請求項２記載の発明によるパネル体は、メッシュパネルが平面視で少なくとも一箇所の曲がり部を有しているので、多様な立体的なメッシュを形成でき、平面的なメッシュパネルよりも高強度でデザイン性に優れ、しかも立体的な盤状のメッシュパネルと比べて製作が容易で、安価に提供できる。つる植物を絡みつかせて緑化する植栽パネル体として用いる場合には、つる植物の種類に応じて、つる植物が絡みやすいように多様な立体的なメッシュを形成でき、メッシュパネルを間隔をおいて配置することで、メッシュパネル間に手を入れて剪定や実の収穫が容易に行え、完全に緑化しても通風性を得ることができる。
【００１７】
請求項３記載の発明によるパネル体は、メッシュパネルを、見込み方向に間隔をあけて左右逆向きにのびる部分を有するものとしたので、植栽パネル体として用いる場合にボリューム感のある緑化が可能であり、メッシュパネルの剛性が高く植物に覆われても風や自重により変形しにくい。また、メッシュパネルの側部が順次ラップする状態に配置しても、メッシュパネル間に空間が形成されるので、メッシュパネル間に手を入れて植物の実の収穫や剪定が容易に行え、またメッシュパネル間の空間を風が通るので、メッシュパネルが完全に緑化しても遮視しながら通風できる。さらに、メッシュパネルの向きを変えることで、立体を好むつる植物と面を這うように成長するつる植物のどちらにも対応することができる。
【００１８】
請求項４記載の発明によるパネル体は、支柱を上レールに沿って移動可能に上レールから吊り下げ、支柱の周囲に嵌めた筒状のメッシュパネル取付材にメッシュパネルが取付けてあり、メッシュパネル取付材を支柱の周りで回転させることでメッシュパネルの向きを簡単に変えることができ、尚且つ固定具によりメッシュパネルを好きな向きで固定できる。
【００１９】
請求項５記載の発明によるパネル体は、支柱の下端部を案内する下レールを備え、下レールは支柱の下端部を受け入れる開口を有し、支柱の下端部に下レールから抜けるのを防ぐストッパーを設けたので、支柱を上下レール間に安定して設置できる。
【００２０】
請求項６記載の発明によるパネル体は、上レールと、上レールに沿って移動可能に上レールから吊り下げた支柱とを備え、支柱は、上端部に上レールを転動するローラーと、上レールを挟持・解除可能なクランプ具とを有するので、支柱の位置をスムーズに移動させられると共に、任意の位置で簡単に固定できる。
【００２１】
請求項７記載の発明によるパネル体は、レールと、メッシュパネルをレールから吊る吊具を有し、吊具は、レールに係合する上部材と、メッシュパネルに固定した下部材とからなり、上部材と下部材とは垂直軸周りに相対回転可能に係合しているため、メッシュパネルがレールと吊具により安定して支持され、尚且つメッシュパネルの向きを変えられると共にメッシュパネルをレールに沿って移動できる。
【００２２】
請求項８記載の発明によるパネル体は、下レールと係合具を有し、係合具は、メッシュパネルに固定した上部材と、下レールに係合する下部材とを有し、上部材と下部材とは垂直軸周りに相対回転可能に係合しているため、メッシュパネルの移動及び向きの変更がスムーズに安定して行える。
【００２３】
請求項９記載の発明によるパネル体は、上部材又は下部材の一方の部材には、垂直軸周りに複数の係止受け部を有し、他方の部材は、複数の係止受け部のいずれかに選択的に係止する係止部を有することで、メッシュパネルを所定の多種類の向きで正確に固定できる。
【００２４】
請求項１０記載の発明によるパネル体は、メッシュパネルを上下方向に突っ張り固定することで、メッシュパネルの向き及び位置を簡単に固定でき、また突っ張りを解除するだけでメッシュパネルを移動及び回転させられるので、メッシュパネルのアレンジが簡単に行える。
【図面の簡単な説明】
【００２５】
【図１】本発明のパネル体の一実施形態を示す正面図である。
【図２】図１のＡ−Ａ断面図である。
【図３】図１のＢ−Ｂ断面図である。
【図４】図１のＢ−Ｂ断面図であって、メッシュパネルの向きを変更した状態を示す。
【図５】パネル体の横断面図であって、メッシュパネルを収納したときの状態を示す。
【図６】図２のＸ方向矢視図である。
【図７】図２のＣ−Ｃ断面図である。
【図８】図２のＣ−Ｃ断面図であって、メッシュパネルを回転させるときの状態を示す。
【図９】図２のＣ−Ｃ断面図であって、メッシュパネルを斜めに傾けて固定した状態を示す。
【図１０】図２のＤ−Ｄ断面図である。
【図１１】支柱を上下レール間に設置するときの状態を示す縦断面図である。
【図１２】パネル体に植物が絡み付いた状態を示す平面図であって、（ａ）はメッシュパネルの向きを傾けない場合、（ｂ）はメッシュパネルの向きを斜めに傾けた場合を示す。
【図１３】本発明のパネル体の他の実施形態を示す縦断面図（突っ張り固定状態）である。
【図１４】図１３のパネル体の横断面図であって、（ａ）はメッシュパネルの向きを傾けない場合、（ｂ）はメッシュパネルの向きを斜めに傾けた場合を示す。
【図１５】図１３のパネル体の横断面図であって、パネル体の横断面図であって、メッシュパネルを収納したときの状態を示す。
【図１６】図１３のパネル体のメッシュパネルの突っ張り固定を解除したときの状態を示す縦断面図である。
【図１７】（ａ）は吊具の上部材の正面図、（ｂ）は同側面図、（ｃ）は同底面図である。
【図１８】（ａ）は吊具の下部材の平面図、（ｂ）は同正面図、（ｃ）は同側面図である。
【図１９】（ａ）はメッシュパネルを突っ張り固定したときの吊具の状態を示す斜視図であり、（ｂ）は突っ張り固定を解除したときの吊具の状態を示す斜視図である。
【図２０】吊具の他の実施形態を示す縦断面図であって、（ａ）はメッシュパネルの回転が規制された状態、（ｂ）はメッシュパネルを回転させるときの状態を示す。
【図２１】（ａ）は図２０の吊具の上部材の側面図と底面図、（ｂ）は同吊具の下部材の平面図と側面図である。
【図２２】吊具のさらに別の実施形態を示す縦断面図であって、（ａ）はメッシュパネルの位置及び向きが固定された状態、（ｂ）はメッシュパネルの位置及び向きの固定が解除された状態を示す。
【図２３】図２２の吊具を分解して示す図であって、（ａ）は下部材の上に取付けられるストッパー部品の側面図と底面図、（ｂ）は上部材の平面図と側面図と底面図、（ｃ）は下部材の平面図と底面図である。
【図２４】支柱下部を下レールに案内する係合具の他の実施形態を示す縦断面図であって、（ａ）はメッシュパネルの向きが規制された状態、（ｂ）はメッシュパネルを回転させるときの状態を示す。
【図２５−１】メッシュパネルの形態及び配置の他の例を示す平面図である。
【図２５−２】メッシュパネルの形態及び配置の他の例を示す平面図である。
【発明を実施するための形態】
【００２６】
以下、本発明の実施の形態を図面に基づいて説明する。図１〜１０は、本発明のパネル体の一実施形態を示している。本実施形態は、図１に示すように、住宅の外壁に付けてテラス６が設置してあり、テラス６の前部の柱７，７間の間口にパネル体８を設置している。パネル体８は、テラス６の屋根９の前梁１０の下面に上レール１を取付け、土間１１上の柱７，７間に下レール１２を取付け、上下レール１，１２間に多数のメッシュパネル２，２，…を上下レール１，１２の長手方向に間隔をおいて並べて配置して構成してある。本パネル体８は、各メッシュパネル２の向きを変更できることに加え、各メッシュパネル２を上下レール１，１２の長手方向に沿って移動でき、且つ任意の位置で固定できるようになっている。
【００２７】
上下レール１，１２間には、図２に示すように、支柱１４が設けてある。支柱１４は、図７に示すように、円形断面のパイプ状になっている。支柱１４には、支柱１４よりも一回り太いパイプ状の支柱カバー３０が取付けてあり、支柱カバー３０にメッシュパネル２が金具３１で取付けてある。
メッシュパネル２は、金属の線材１３ａ，１３ｂを縦横に５０〜１００ｍｍ程度の間隔をおいて溶接して格子状に形成してあり、図３，７に示すように、見込み面部２ａと、見込み面部２ａの前側と後側の端部より右側と左側にのびる見付け面部２ｂ，２ｃとを有し、２箇所の直角な曲がり部を有する平面視クランク状となっており、見込み面部２ａを支柱カバー３０に取付けてある。
支柱１４の外周面には、図７に示すように、円周方向に間隔をおいて多数の溝３２が長手方向に形成してあり、支柱カバー３０の内周面には支柱１４の溝３２に係止する突条３３が円周方向に間隔をおいて複数形成してある。支柱カバー３０には、突条３３が形成された部分の反対側にノブボルト３４が設けてあり、ノブボルト３４のネジ部の先端には支柱１４の外周面に当接する当接部材３５が設けてあり、ノブボルト３５を締め付けることで支柱１４を突条３３が設けられた支柱カバー３０内周面に押し付け、突条３３に支柱１４の溝３２が係止することで、メッシュパネル２を取付けた支柱カバー３０が回転しないように固定している。
【００２８】
メッシュパネル２の向きを変更するときは、図８に示すように、ノブボルト３４を緩めることで当接部材３５が支柱１４から離れ、支柱１４の溝３２から支柱カバー３０の突条３３が外れるので、支柱カバー３０はメッシュパネル２と共に支柱１４の周りを自由に回転できる。所望の向きにメッシュパネル２を回転させたら、ノブボルト２を再度締め付ける。すると、図９に示すように、当接部材３５を介して支柱１４の溝が形成された外周面に支柱カバー３０の内周面が押し付けられ、突条３３が支柱１４の溝３２に係止することで、支柱カバー３０及びメッシュパネル２の向きが固定される。支柱１４の下部には、図２に示すようにカラー３６が取付けてあり、カラー３６で支柱カバー３０を支えることで、ノブボルト３４を緩めて支柱カバー３０を回転させるときに、支柱カバー３０が抜け落ちないようにしている。
【００２９】
上レール１は、図２に示すように、前方に上方に突き出たローラー受け部３７を有すると共に、後側に下方に垂下した垂下壁３８を有している。支柱１４の上端部には、前後方向の軸で軸支したローラー３９を備えた吊具４０が取付けてあり、このローラー３９を上レール１のローラー受け部３７上に係止することで、支柱１４が上レール１に沿って移動可能に吊下げられている。また、支柱１４上端部の後側には、上レール１の垂下壁３８を挟持・解除可能なクランプ具４１を備えている。クランプ具４１は、支柱１４の上端部に固定した台座４２と、台座４２の後側面に配置した押さえピース４３と、押えピース４３を台座４２に取付けているノブボルト４４とからなり、ノブボルト４４を締め付けると、台座４２と押さえピース４３とで上レール１の垂下壁３８が挟持され、これにより支柱１４上端部が上レール１に対して固定される。ノブボルト４４を緩めると、押えピース４３が垂下壁３８から離れ、支柱１４が上レール１に沿って移動自在になる。押えピース４３の前側面と垂下壁３８の後側面とにはギザギザ４５が形成してあって、ノブボルト４４を介して押えピース４３を押付けたときにギザギザ４５が噛み合うことで、支柱１４上端部ががたつき無く且つ鉛直に固定されるようにしている。上レール１の前方には、カバー５７が取付けてあり、カバー５７により吊具４０を隠すと共に吊具４０が上レール１から外れるのを防いでいる。
【００３０】
下レール１２は、図２に示すように、上面に支柱１４の外径より幅広の開口５０を有する溝形に形成されており、下レール１２の前側の壁５１は後方の斜め上向きに傾斜しており、溝底部の幅が開口５０側より幅広になっている。支柱１４の下端には、図２，６，１０に示すように、底板５２が左右両側に張り出すように設けられ、底板５２の両側にストッパー５３が前方に張り出すように上方からネジ５４で取付けてあり、このストッパー５３により支柱１４の下端部が下レール１２から抜け出るのを規制している。底板５２と下レール１２の底面との間には隙間６８がある。ストッパー５３を取付けているネジ５４の挿通孔５５は、図１０に示すように前後方向の長孔になっており、ストッパー５３の位置を前後に調整することで、支柱１４下端部の前後方向のガタを調整できる。図２に示すように、支柱１４の下端部にも上端部と同じようにクランプ具４１が設けてあり、クランプ具４１により下レール１２の後壁５６を挟持・解除することで、支柱１４の下端部を下レール１２に対して固定・解除できる。
【００３１】
支柱１４を上下レール１，１２間に取付ける際には、図１１に示すように、上下のクランプ具４１の押えピース４３とノブボルト４４及び支柱１４下端部のストッパー５３を取外した状態で、支柱１４の下端部を下レール１２内に開口５０より差し入れ、吊具４０のローラー３９を上レール１のローラー受け部３７上に引っ掛ける。その後、下レール１２の開口５０よりストッパー５３を挿入し、底板５２の両側にネジ５４で取付ける。その後、押えピース４３とノブボルト４４とを取付けて上レール１の垂下壁３８と下レール１２の後壁５６を挟みこみ、支柱１４を固定する。
【００３２】
本パネル体８は、メッシュパネル２の近くの土間１１上につる植物の苗を植えたプランター（図示省略）を置き、つる植物をメッシュパネル２に絡みつかせて緑化される。つる植物には、大きく分けて立体的に生育する巻ひげ型と、面を這うように生育する巻葉柄型の２種類があるが、本パネル体８は、図３，４に示すように、メッシュパネル２に絡ませるつる植物の種類に応じてメッシュパネル２の向きを変更することができる。メッシュパネル２同士の間隔は、図３に示すようにメッシュパネル２を傾けない状態（見込み面部２ａが見込み方向と平行）のときに、隣接するメッシュパネル２，２の見付け面部２ｂ，２ｃ同士が見込み方向に重なるようにしてあり、そのため正面から見るとメッシュパネル２，２，…が隙間をあけないで配置してあるように見える。
図１２（ａ）は、メッシュパネル２を傾けない配置とし、巻ひげ型のつる植物であるゴーヤ２６をメッシュパネル２に絡みつかせた状態を示している。メッシュパネル２が立体で奥行きのある形状なので、ゴーヤ２６が立体的にメッシュパネル２に絡み付いてよく育ち、しかもクランク状に曲げてあることで剛性が高く、ゴーヤの実２６ａの重みでメッシュパネル２がたわみにくい。また、隣接するメッシュパネル２，２間に空間Ｓがあるため、空間Ｓに手を入れてメッシュパネル２の内部にできたゴーヤの実２６ａを取ったり、ゴーヤ２６の生育を促進させるために剪定を行うのも容易である。さらに、メッシュパネル２の全体にゴーヤ２６が絡みついても、隣接するメッシュパネル２，２間に空間Ｓがあることで、外からの視線２７を遮りつつ通風２８を確保でき、植物の葉の蒸散効果により涼しい風をテラス６内に呼び込むことができる。
図１２（ｂ）は、メッシュパネル２を傾けた状態で固定し、巻葉柄型のつる植物であるクレマチス２９をメッシュパネル２に絡みつかせた状態を示している。平面視クランク状のメッシュパネル２を傾けて配置することで、メッシュパネル２の配置がジグザグの面状になるため、面を這うように育成するクレマチス２９が良く育つ。また、立体的でボリューム感のある緑化が可能で、クレマチスの花２９ａをよりきれいに見せることができ、庭を華やかに演出することができる。
【００３３】
以上に述べたように、本パネル体８は、メッシュパネル２を平面視クランク状とし、且つメッシュパネル２の向きを変えられるようにしたので、巻ひげ型と巻葉柄型のどちらのつる植物もメッシュパネル２に良く絡み、良好に育成させることができる。メッシュパネル２を平面視クランク状としたことでメッシュパネル２の剛性が高められ、自重や植物の重み、風や雪等による変形を防止することができる。またメッシュパネル２は、平板状に形成したものを曲げるだけで簡単に製作でき、コストも小さくできる。
メッシュパネル２の向きは、全てのメッシュパネル２，２，…で同じにしてもよいし、違わせることもできる。また、メッシュパネル２同士の間隔も一定でもよいし、所々違わせたり、上下レール１，１２の全長のうちの一部分にのみメッシュパネル２を配置したりすることもできる。そうしてメッシュパネル２の配置に多彩なアレンジを持たせられ、それに伴って採光・採風を調節することができる。
【００３４】
さらに本パネル体８は、冬になって植物が枯れた後など、メッシュパネル２が不要なときには、図５に示すように、メッシュパネル２，２，…を上下レール１，１２の端部側に移動して固定することで、メッシュパネル２，２，…を邪魔にならないようにコンパクトに収納することができる。
収納したメッシュパネル２，２，…を再度等間隔で配置する作業を容易にするため、上レール１又は下レール１２に支柱１４の配置位置の目安となるシールを貼り付けておくことができる。
本パネル体８は、上下のクランプ具４１のノブボルト４４を操作することでメッシュパネル２の移動が簡単に行え、支柱カバー３０に設けたノブボルト３４を操作して支柱カバー３０を回転させることで、メッシュパネル２の向きの変更が簡単に行える。メッシュパネル２の移動と向きの変更は、それぞれ独立して行うことができる。支柱１４がローラー３９で上レール１から吊り下げてあるので、支柱１４を移動させるのが容易である。
【００３５】
図１３〜１６は、本発明のパネル体８の他の実施形態を示している。メッシュパネル２には、図１３，１４に示すように、見込み面部２ａと見付け面部２ｂとの間の曲がり部の内側に沿わせて支柱１４が設けてある。支柱１４の上方には上レール１と係合する吊具３が設けてあり、支柱１４の下方には下レール１２と係合する係合具１５が設けてある。
吊具３は、図１９に示すように、上レール１と係合する上部材３ａと、支柱１４の上端にネジ１６で固定した下部材３ｂとで構成してある。上部材３ａは、図１７に示すように、上レール１内に収納されるスライド板部１７と、スライド板部１７より下方に突出して設けてあり、下面が開放した略円筒状の突部１８を有しており、突部１８には中心軸周りの４箇所に係止受け部４が下方より切り欠き状に設けてある。下部材３ｂは、図１８に示すように、支柱１４の小口を塞ぐ蓋部１９と、蓋部１９上に突出して設けてあり、上部材３ａの突部１８の内側に下方より係合する突部２０と、突部２０の周囲の一箇所に設けた板状の係止部５とを有している。上部材３ａと下部材３ｂとは、図１３に示すように、突部１８と突部２０とを上下に係合すると共に、下方より下部材３ｂの中心部に挿通したネジ２１を上部材３ａの中心部に螺入して連結され、中心軸回りに相対回転可能で、且つ上下方向に接近・離間可能としてある。
【００３６】
支柱１４の下方に設けられる係合具１５は、図１３に示すように、下レール１２に上方より嵌合する断面コ字形の嵌合部２２と、嵌合部２２上に垂直に起立して設けたネジ軸２３と、ネジ軸２３に螺合するノブナット２４を備える。支柱１４の下端には蓋２５が取付けられ、蓋２５の中心に形成した孔にネジ軸２３を挿入してある。
【００３７】
図１３に示すように、ノブナット２４を上方に移動する向きに手で回すことでメッシュパネル２の支柱１４が押上げられ、それに伴って吊具３が上レール１に押付けられるため、メッシュパネル２の支柱１４が上下レール１，１２間に突っ張り固定される。このとき、図１９（ａ）に示すように、吊具３の上部材３ａの係止受け部４に下部材３ｂの係止部５が係止することで、メッシュパネル２の支柱１４の回転が規制される。
反対に、ノブナット２４を下方に移動する向きに手で回すと、図１６に示すように、メッシュパネル２の支柱１４が一緒に下降し、吊具３は上部材３ａのスライド板部１７が上レール１の下縁に係止する位置まで下降し、その後、下部材３ｂのみが下降して係止部５が上部材３ａの係止受け部４から抜けるため（図１９（ｂ）参照）、メッシュパネル２の支柱１４は上下レール１，１２の長手方向に沿って移動可能で、且つ垂直軸周りに回転できる状態になる。メッシュパネル２を移動させる際、吊具３が上レール１と係合していることでメッシュパネル２が倒れることがなく、且つ支柱１４下部の係合具１５が下レール１２と係合していることで、メッシュパネル２の下側が見込み方向に振れることもない。
メッシュパネル２を所望の位置にスライドさせると共に、メッシュパネル２の向きを所望の角度に保持したした上でノブナット２４を上昇する向きに手で回せば、図１３に示すように、メッシュパネル２の支柱１４を上下レール１，１２間に突っ張り固定でき、それと同時に吊具３の係止部５が係止受け部４に係止し、メッシュパネル２の向きが固定される。
【００３８】
本実施形態のものも、図１４に示すように、メッシュパネル２の向きを変更できると共に、メッシュパネル２の位置を上下レール１，１２に沿って自由に移動させることができ、図１５に示すようにメッシュパネル２，２，…をコンパクトに収納することができる。メッシュパネル２の向きが変えられ、尚且つ支柱１４をメッシュパネル２の曲がり部の内側に配置したことで、収納時にメッシュパネル２同士が重なるように極力接近させ、収納幅を小さくできる。
収納したメッシュパネル２，２，…を再度等間隔で配置する作業を容易にするため、上レール１又は下レール１２に支柱１４の配置位置の目安となるシールを貼り付けておくことができる。または、吊具３の上部材３ａに上面に突起を設けておき、上レール１にその突起が係止する孔を所定の間隔で設けておき、吊具３の突起を上レール１の孔に係止して支柱１４を位置決めできるようにしてもよい。
本実施形態では、支柱１４の下のノブナット２４を操作するだけで、メッシュパネル２の向きの変更と移動が行え、操作性が良い。
【００３９】
図２０，２１は、吊具３の他の実施形態を示している。上部材３ａは、図２１ａに示すように、突部１８の下面に係止受け部４が全周にわたってギザギザの凹凸状に設けてあり、下部材３ｂは、図２１（ｂ）に示すように、突部２０の上面に係止部５が全周にわたってギザギザの凹凸状に設けてある。上部材３ａと下部材３ｂとを連結するネジ２１の周りには、図２０（ａ）に示すように、コイルバネ５８が圧縮した状態で設置してあり、下部材３ｂを常時上向きに付勢している。
本実施形態では、コイルバネ５８により下部材３ｂを上向きに付勢しているため、支柱１４の突っ張り固定を解除しても、図２０（ａ）に示すように、上部材３ａの係止受け部４に下部材３ｂの係止部５が係止し、支柱１４が回転しないように保持される。メッシュパネル２の向きを変えるときには、図２０（ｂ）に示すように、支柱１４をコイルバネ５８の府勢力に抗して下方に押し下げながら回転させる。その後、支柱１４から手を離せばコイルバネ５８の府勢力で支柱１４が上昇し、上部材３ａの係止受け部４に下部材３ｂの係止部５が係止して、支柱１４がその向きで固定される。
以上のように本実施形態によれば、支柱１４の突っ張り固定を解除した後に、支柱１４を回転させる操作を独立して行えるので、操作性が一層向上する。また係止受け部４と係止部５を、上部材３ａの突部１８の下面と下部材３ｂの突部２０の上面とにギザギザの凹凸状に設けたことで、メッシュパネル２をあらゆる方向に向けて小刻みに変えることができる。
【００４０】
図２２，２３は、吊具３のさらに別の実施形態を示している。吊具３は、上レール１と係合する上部材３ａと、支柱１４の上端に固定した下部材３ｂと、下部材３ｂ上に空回りしないようにネジ６６で取付けたストッパー部品６０とからなる。上部材３ａは、上レール１内に収納されるスライド板部１７の下面に突起５９が前後方向に形成してあり、上レール１の下面にはその突起５９が係止する切り欠き６１が長手方向の所定の位置に設けてある。また上部材３ａは、中央部に孔６２が形成してあると共に、上面側に円形の凹部６３が形成してあり、凹部６３の周囲にギザギザの凹凸よりなる係止受け部４が形成してある。ストッパー部品６０は、大径部６４と小径部６５を有し、大径部６４の外周にギザギザの凹凸よりなる係止部５が形成してあり、小径部６５は上部材３ａの孔６２に挿通して下部材３ｂ上に結合されている。
通常の状態では、図２２（ａ）に示すように、ストッパー部品６０の大径部６４が上部材３ａの凹部６３内に納まり、周囲の係止部５が係止受け部４に係止することで、支柱１４が抜け止めされると共に回転が規制されている。また、上部材３ａ下面の突起５９が上レール１の切り欠き６１に係止することで、支柱１４の位置が固定されている。図２２（ｂ）に示すように支柱１４を持ち上げると、上部材３ａが下部材３ｂに押上げられて突起５９が上レール１の切り欠き６１から抜けることで位置固定が解除され、またストッパー部品６０の大径部６４が上部材３ａの凹部６３の上方に抜けるため、支柱１４を自由に回転できる。以上に述べたように本実施形態によれば、支柱１４を持ち上げるだけで支柱１４の位置固定と回転の規制を簡単に解除できる。
【００４１】
図２４は、支柱１４の下端部に設けられる係合具１５の他の実施形態を示している。係合具１５は、支柱１４の下端に固定した上部材１５ａと、下レール１２と係合する下部材１５ｂとからなり、上部材１５ａの中心に挿通され下部材１５ｂに螺入したネジ６７により、上部材１５ａと下部材１５ｂとが相対回転可能に連結してある。上部材１５ａの下面には係止受け部４が全周にわたってギザギザの凹凸状に設けてあり、下部材１５ｂの上面には係止部５が全周にわたってギザギザの凹凸状に設けてある。
通常の状態では、図２４（ａ）に示すように、支柱１４の自重により上部材１５ａの下面が下部材１５ｂの上面に押し付けられ、係止受け部４に係止部５が係止することで支柱１４の回転が規制される。図２４（ｂ）に示すように支柱１４を持ち上げると、上部材１５ａのみが支柱１４と共に上昇し、係止受け部４から係止部５が外れるため、支柱１４を自由に回転できる。支柱１４を降ろせば、係止受け部４と係止部５とが係止し、支柱１４が回転させた向きで固定される。
以上に述べたように、本実施形態の係合具１５によれば、支柱１４を上げ下げするだけでメッシュパネル２の角度の変更が容易に行える。本実施形態の係合具１５は、図２２の吊具３とセットで用いることができる。また、支柱１４をネジ等を用いて下向きに押し付け、支柱１４を上下レール１，１２間に突っ張り固定することもできる。
【００４２】
メッシュパネル２は、曲がり部の曲げ角度が直角のものに限らず、図２５−１（ａ），（ｂ）に示すように、曲がり部の曲げ角度が直角でないもの、図２５−１（ｃ），（ｄ）に示すように、平面視Ｓ字状に曲がった形状とすることもできる。さらに、図２５−２（ｅ）に示すように、見付け面部２ｂと湾曲面部２ｄを有する形状や、図２５−２（ｆ）に示すように、平面視Ｌ字状に曲がった形状、図２５−２（ｇ）に示すように、平面視Ｔ字状とすることもできる。さらにメッシュパネル２は、図２５−２（ｈ）に示すように、平板状であってもよい。また、図２５−２（ｉ）に示すように、異なった形状のメッシュパネル２を組み合わせて配置することもできる。
【００４３】
本発明は、以上に述べた実施形態に限定されない。メッシュパネル２の形状、大きさ、線材１３ａ，１３ｂの間隔等は、適宜変更することができる。下レール１２は、省略することができる。吊具３は、上部材３ａに係止受け部４をいくつでも設けることができ、下部材３ｂに係止部５を複数設け、突っ張り固定時に複数の係止部５がそれぞれ係止受け部４に係止するようにしてもよい。また吊具３は、係止受け部４と係止部５を設けないで、突っ張り時の摩擦により下部材３ｂの回転を規制するものであってもよい。メッシュパネルの支持・固定の仕方は、必ずしも上吊り支持、突っ張り固定に限定されず、例えばメッシュパネルの上部と下部に戸車を設け、戸車をレールに案内してメッシュパネルを支持したり、メッシュパネルに落とし棒を設け、落とし棒によりメッシュパネルを固定したりすることもできる。本発明のパネル体は、つる植物を絡みつかせるのに適したものではあるが、必ずしもつる植物を絡みつかせることを目的としたものではない、単なるフェンス等であってもよい。
【符号の説明】
【００４４】
１  上レール（レール）
２  メッシュパネル
３  吊具
３ａ  吊具の上部材
３ｂ  吊具の下部材
４  係止受け部
５  係止部
８  パネル体
１２  下レール
１４  支柱
１５  係合具
１５ａ  係合具の上部材
１５ｂ  係合具の下部材
３０  支柱カバー（メッシュパネル取付材）
３４  ノブボルト（固定具）
３９  ローラー
４１  クランプ具
５０  下レールの開口
５３  ストッパー
【図１】
2011196170.tif 000003
【図２】
2011196170.tif 000004
【図３】
2011196170.tif 000005
【図４】
2011196170.tif 000006
【図５】
2011196170.tif 000007
【図６】
2011196170.tif 000008
【図７】
2011196170.tif 000009
【図８】
2011196170.tif 000010
【図９】
2011196170.tif 000011
【図１０】
2011196170.tif 000012
【図１１】
2011196170.tif 000013
【図１３】
2011196170.tif 000014
【図１４】
2011196170.tif 000015
【図１５】
2011196170.tif 000016
【図１６】
2011196170.tif 000017
【図１７】
2011196170.tif 000018
【図１８】
2011196170.tif 000019
【図１９】
2011196170.tif 000020
【図２０】
2011196170.tif 000021
【図２１】
2011196170.tif 000022
【図２２】
2011196170.tif 000023
【図２３】
2011196170.tif 000024
【図２４】
2011196170.tif 000025
【図２５−１】
2011196170.tif 000026
【図２５−２】
2011196170.tif 000027
【図１２】
2011196170.tif 000028